(57)【特許請求の範囲】
【請求項１】
発熱部材を有するデジタルカメラ部と、インク供給部と印字部とを有するプリンタ部とからなるプリンタ一体型デジタルカメラにおいて、
上記発熱部材からの発熱を上記インク供給部に伝達するように構成したことを特徴とする、プリンタ一体型デジタルカメラ。
【請求項２】
デジタルカメラ部の撮像素子を上記インク供給部の近傍に配置したことを特徴とする、請求項１記載のプリンタ一体型デジタルカメラ。
【請求項３】
上記インク供給部は、インクカートリッジとインク供給路とからなることを特徴とする、請求項２記載のプリンタ一体型デジタルカメラ。
【請求項４】
上記インクカートリッジは、上記撮像素子の背面に配置されたことを特徴とする、請求項３記載のプリンタ一体型デジタルカメラ。
【請求項５】
デジタルカメラ部の撮像素子と上記インク供給部との間に、熱伝達部材を備えたことを特徴とする、請求項１記載のプリンタ一体型デジタルカメラ。
【請求項６】
上記発熱部材は、撮像素子、表示用バックライト、又は電源電池であることを特徴とする、請求項１記載のプリンタ一体型デジタルカメラ。
【発明の詳細な説明】
【０００１】
【発明の属する技術分野】
本発明は、プリンタ一体型デジタルカメラに関する。
【０００２】
【従来の技術】
従来、インクジェットプリンタに用いられるインクの粘度は、一般に低温で高くなる。たとえば図２９に示したように、常温で２〜３ｃｐが、低温では４〜１０ｃｐになる。インクジェットヘッドの印字特性のうち、印字速度と強い関係がある周波数特性は、たとえば図３０に示したように、インクの粘度が高くなると非常に悪くなる。そのため、インクが低温になると、インクの流動性が悪くなり、かすれや色ずれが生じ、プリント品質が悪くなることが知られている。一方、プリンタ付きデジタルカメラが提案されている。そのようなカメラでは、その製品の特性として、撮影者が持ち運び、様々な温度条件の場所で撮影・プリントを行うことが考えられる。
【０００３】
【発明が解決しようとする課題】
このような従来のインクジェットプリンタをプリンタ一体型デジタルカメラのプリンタとして用いた場合、低温環境でもプリント動作が行われることが考えられ、よってプリント品質が悪くなるおそれがある。
【０００４】
したがって、本発明が解決すべき技術的課題は、低温環境でも良好なプリント品質を保持することができるプリンタ一体型デジタルカメラを提供することである。
【０００５】
【課題を解決するための手段および作用・効果】
本発明は、上記技術的課題を解決するために、以下の構成のプリンタ一体型デジタルカメラを提供する。
【００１４】
プリンタ一体型デジタルカメラは、発熱部材を有するデジタルカメラ部と、インク供給部と印字部とを有するプリンタ部とからなるタイプのものである。上記発熱部材からの発熱を上記インク供給部に伝達するように構成する。
【００１５】
上記構成において、デジタルカメラ部とプリンタ部とは、一体不可分に構成されても、着脱可能に構成されてもよい。デジタルカメラ部の熱を発生する発熱部材としては、撮像素子、表示用バックライト、電源電池、回路基板などである。上記構成によれば、デジタルカメラ部の発熱部材で発生した熱をインク供給部に伝達することにより、低温環境においてプリンタ一体型デジタルカメラを使用する場合でも、インクの温度低下を防止し、プリント動作の保証範囲内の温度に保つことができる。
【００１６】
したがって、低温環境でも良好なプリント品質を保持することができる。
【００１７】
好ましくは、デジタルカメラ部の撮像素子は、上記インク供給部の近傍に配置される。
【００１８】
上記構成によれば、放熱する必要がある撮像素子で発生した熱を、有効に利用することができる。また、デジタルカメラ部の撮像素子とインク供給部との間の熱伝達経路が短くなるので、熱伝達効率を高めることができる。なお、インク供給部の配置は、インク供給のためのアクセスなどを考慮すると制約が多いが、撮像素子の配置は、撮影光学系の設計により、柔軟に対応することができる。したがって、インク供給部の配置に合わせて撮像素子を配置することができる。
【００１９】
具体的な構成としては、上記インク供給部は、インクカートリッジとインク供給路とからなる。この場合、撮像素子からの熱は、インクカートリッジとインク供給路のいずれか一方に与えるようにしても、両方に与えるようにしてもよい。
【００２０】
好ましくは、上記インクカートリッジは、上記撮像素子の背面に配置される。この場合、撮像素子からの熱をインクカートリッジに効率よく伝達することができる。撮像素子からの熱を熱容量の大きいインクカートリッジに熱を与えるのでインクの変化は小さくなり、安定したプリント品質を保持することができる。
【００２１】
また、好ましくは、デジタルカメラ部の撮像素子と上記インク供給部との間に、熱伝達部材を備える。この場合、デジタルカメラ部の撮像素子とインク供給部とが離れ、熱伝達経路が長くなっても、熱伝達部材を介してデジタルカメラ部の撮像素子からインク供給部へ効率よく熱を伝達することができる。
【００２２】
【発明の実施の形態】
以下、本発明の各実施形態に係るプリンタ一体型デジタルカメラについて、図面を参照しながら説明する。
【００２３】
まず、第１実施形態に係るプリンタ一体型デジタルカメラについて、説明する。
【００２４】
図２〜図４は、本発明に係るプリンタ一体型カメラの全体斜視図、図５は透視図である。
【００２５】
図において、１はカメラ本体、２は後述するようにプリント動作に必要な構成が内蔵されたプリンタユニット部である。
【００２６】
カメラ本体１の前面には、撮影レンズ３、ファインダ窓４、自動焦点検出（以下、ＡＦという）のためのＡＦユニット部５、および本体からポップアップするフラッシュ６が設けられている。撮影レンズ３を保持するレンズ鏡筒３０はカメラ本体１から出没するように構成され、沈胴時には、レンズバリア９０９が閉じ、撮影レンズ３を覆うようになっている。
【００２７】
カメラ本体１の上面には、各種操作部材７，８，９，１１，１２，１３と表示器１７が配設されている。７はレリーズ／プリント開始ボタンであり、デジタルカメラ用としては、半押しでスイッチＳ１がオン（撮影準備）、全押しでスイッチＳ２がオン（レリーズ）となる操作部材であり、プリンタ用としては、プリント開始の操作ボタンである。８はモード切換スイッチであり、「ＯＦＦ」、「記録」、「再生」、「プリント」の各モードを切り換えるものである。９はプロテクトスイッチであり、一旦記録された記録画像が不用意な操作で消去されるのを防止するものである。１１はフラッシュ発光モード切換スイッチであり、フラッシュ６を「非発光（ＯＦＦ）」、「自動発光（ＡＵＴＯ）」、「強制発光（ＯＮ）」の各モードに切り換えるものである。１２は日付設定用スイッチであり、撮影日時をセットする際にセット可能状態にするものである。１３は撮影モード切換スイッチであり、オンされる毎に単写／セルフ／連写の撮影を変更可能にするものである。表示器１７は、例えばＬＣＤ等で構成され、前記日付、撮影時やプリント時のコマ番号その他設定モード内容を表示するものである。
【００２８】
カメラ本体１の上面部には、さらに、プリント済用紙の排出口９０１が設けられ、プリントされた用紙が、図３に示したように排出される。９０２はスライド部であり、図４において点線で示したように開閉可能であり、それによる開口部を利用して、インクジェットカートリッジ９０３を交換することができる。図５に示すように、カートリッジ９０３は、フタ部９０４で固定されており、このフタ部９０４を横方向へはずすと、カートリッジ９０３は指を使ってカメラ本体１に対して上方向へ取り出せるようになっている。プリントするための用紙は、図示していないが、カメラ本体１の下部より所定の枚数を挿てんすることが可能となっている。カメラ本体１内に設けたプリンタ部１１１の詳細については後述する。
【００２９】
ところで、図５に示したように、インクカートリッジ９０３はカメラ本体１の中央に配置されているので、カメラ本体１の側部に配置されているプリンタヘッド５’へは、供給チューブ９５０を介して、インクカートリッジ９０３からインクが供給される。この実施形態では、カートリッジ９０３は、固体撮影素子（以下、ＣＣＤという）１０１が実装された基板１０１ａの裏面に配置され、ＣＣＤ１０１で発生した熱が伝達されるようになっている。これによって、低温環境でもインクの温度低下を防止し、インク温度をプリント動作の保証範囲内に保ち、良好なプリント品質を保持することができる。
【００３０】
図４に示すように、カメラ本体１の一方の側面にはメモリーカード挿入口１８が設けられている。また、図２および図３に示すように、他方の側面にはＰＣ用出力端子１９が設けられている。メモリーカード挿入口１８は、スリット状に形成された挿入口で、カメラ本体１内へ外部記録媒体（以下、メモリカードという）を挿入するためのものである。ＰＣ用出力端子１９はカメラ本体１の側面適所に設けられ、ＰＣ（パーソナルコンピュータ）への接続を可能にする端子である。
【００３１】
カメラ本体１の背面には、図４に示すように、ボタン１４，１５，９１０，９１８と、ファインダ窓９０６と、合焦表示ランプ９０７と、画像表示用ＬＣＤ９０５とが設けられている。
【００３２】
１４，１５は、ズームボタンであり、ズームボタン１４を押すと撮影レンズ３はワイド側に、ズームボタン１５を押すとテレ側に駆動される。また、１４，１５は、後述するメモリーカード１１２に記録された画像データを呼び出すアクセスボタンでもあり、アクセスボタン１４にアクセスする毎に記録画像が順送り（ＵＰ）、アクセスボタン１５にアクセスする毎に逆送り（ＤＯＷＮ）されるようになっている。
【００３３】
９０８はＬＣＤスイッチであり、画像表示用ＬＣＤ９０５をオン／オフするためのものである。９１０は手ぶれ補正スイッチであり、手ぶれ補正をオン／オフするためのものである。ファインダ窓９０６からは、撮影時には撮影画像を見ることができる。画像表示用ＬＣＤ９０５は、撮影時にはモニタ画像を、再生時には選択画像を、プリント時には記録画像を表示する。
【００３４】
合焦表示ランプ９０７は、撮影時において、ボタン７の半押し（スイッチＳ１がオン）時に、撮影準備動作が終了したときには点灯し、また被写体が至近距離で撮影不可の場合やフラッシュ充電中の場合には点滅し、撮影者に知らせる。合焦表示ランプ９０７は、プリントモード時にも用い、プリントモードになれば点灯し、プリントモード時にエラーが発生すれば点滅する。
【００３５】
図１は、カメラ全体のブロック図である。
【００３６】
システムコントローラ（以下、ＣＰＵという）１００はプリント動作も含めてカメラ全体の動作を制御するものである。前記撮影レンズ３を通して結像される被写体像は固体撮影素子（以下、ＣＣＤという）１０１に取り込まれ、該ＣＣＤ１０１の出力画像信号は信号処理部１０２で処理されるようになっている。この信号処理部１０２の詳細は後述する。撮影レンズ３は測距結果に基づいて合焦状態となるようにレンズ駆動部１０３により駆動制御される。測距部１０４は、例えば位相差検出方式などを利用して被写体までの距離を求めるもので、この測距離データからレンズ駆動部１０３による撮影レンズ３の駆動量が算出されるようになっている。レンズ駆動部１０３は、撮影レンズ３を保持するレンズ鏡筒３０の出没、レンズバリア９０９の開閉の駆動も行う。測光部１０５は被写体の輝度を測定し、測光データをＣＰＵ１００に出力するものである。露出制御部１０６は測距、測光結果に基づいて得られるＣＰＵ１００からの露出時間（シャッタスピード）Ｔｖ、絞り値Ａｖのデータを受けてカメラの露出制御を行うものである。表示部１０７は前記表示器１７及びＬＣＤ９０５とそれらを駆動する部分とからなっている。
【００３７】
手ぶれ検出部４００は、カメラ本体１内に設けた加速度センサにより撮影時の手ぶれ量を検出する。手ぶれ補正部４０２は、手ぶれ検出部４００からの手ぶれ検出結果に基づき、手ぶれの補正を行う。具体的には撮影光学系中の補正光学部材をアクチュエータを用いて光軸垂直方向に駆動することで補正する。画像処理部３００は、画像信号を処理し、必要に応じて、画像表示用ＬＣＤ９０５やプリンタ部１１１に出力するための画像処理を行う。
【００３８】
フラッシュ部１０８は、ＣＰＵ１００からの充電のための昇圧制御、発光制御信号により制御され、前記フラッシュ６の発光を行うものである。さらに、フラッシュ部１０８は、ＣＰＵ１００からの制御信号により、フラッシュを使用位置又は非使用位置に駆動する。
【００３９】
電源部１０９はＣＣＤ１０１へは所定の高電圧で、ＣＰＵ１００その他の各回路部へは所定レベルの電圧で電力を供給するものである。バッテリーチェック回路１１０は前記電源部１０９内の電源電池に接続され、該電源電池の容量を検出するものである。この検出結果はＣＰＵ１００に出力するようになっている。
【００４０】
プリンタ部１１１はＣＰＵ１００により駆動制御され、画像信号を記録紙にプリントアウトするもので、詳細は後述する。メモリカード１１２はカメラ本体１に着脱自在な、例えばＳＲＡＭ等からなる複数枚の画面が記録可能な記録媒体である。外部出力Ｉ／Ｆ１９は図２のＰＣ用出力端子１９に相当するものである。
【００４１】
次に、スイッチ類ＳＯＦＦ〜ＳＭＯＤＥについて説明する。
ＳＯＦＦ：モード切換スイッチ８が「ＯＦＦ」の位置にあるときオンし、カメ  ラを不動作にする。
ＳＲＥＣ：モード切換スイッチ８が「記録」の位置にあるときオンし、カメラを撮影可能にする。
ＳＲＥＰ：モード切換スイッチ８が「再生」の位置にあるときオンし、ＰＣ等への転送を可能にする。
ＳＰＲＴ：モード切換スイッチ８が「プリント」の位置にあるときオンし、記録画像のプリントアウトを可能にする。
Ｓ１  ：撮影時に、レリーズ／プリント開始ボタン７の１段押し（半押し）でオンし、撮影準備を指示する。
Ｓ２  ：撮影時に、レリーズ／プリント開始ボタン７の２段押し（全押し）でオンし、露出を指示する。プリント時には、プリント開始を指示する。
ＳＵＰ：アクセスボタン１５が押される毎にオンし、記録画像の順送り再生を行う。
ＳＤＯＷＮ：アクセスボタン１４が押される毎にオンし、記録画像の逆送り再生を行う。
ＳＰＲＯ：プロテクトスイッチ９が押される毎に記録画像のプロテクトおよびプロテクト解除を交互に行う。
ＳＶＩ  ：手ぶれ補正スイッチ９１０のオン−オフを検知する。
ＳＬＣＤ：ＬＣＤスイッチ９０８のオン−オフを検知する。
ＳＣＡＲＤ：メモリカード１１２が挿入されているとき、オンする。
ＳＦＬ：フラッシュ発光モード切換スイッチ１１が押される毎にオンし、非発光、自動発光、強制発光の各モードがサイクリックに切り換えられる。
ＳＡＤＪ  ：日付設定用スイッチ１２に相当する。
ＳＭＯＤＥ：撮影モード切換スイッチ１３が押される毎にオンし、単写、セルフ、連写の各モードがサイクリックに切り換えられる。
ＳＥ  ：消去スイッチの押圧を検知する。
【００４２】
図６は、撮像部の制御系（図１において、点線の枠で囲んだ部分）を示す詳細ブロック図である。
【００４３】
図６において、前記ＣＣＤ１０１は、カラーエリア形センサとして構成されており、レンズ３０１、リレーレンズ３０２により結像された被写体の光学像を、Ｒ（赤），Ｇ（緑），Ｂ（青）の色成分の画像信号（各画素で受光された画素信号の信号列からなる信号）に光電変換して出力する。
【００４４】
タイミングジェネレータ２０１は、タイミング制御回路２０２から送信される基準クロックに基づき、ＣＣＤ１０１の駆動制御信号を生成するものである。タイミングジェネレータ２０１は、例えば積分開始／終了（露出開始／終了）のタイミング信号、各画素の受光信号の読出制御信号（水平同期信号、垂直同期信号、転送信号等）等のクロック信号を生成し、ＣＣＤ１０１に出力する。
【００４５】
信号処理回路２１３は、ＣＣＤ１０１から出力される画像信号（アナログ信号）に所定のアナログ信号処理を施すものである。信号処理回路２１３は、ＣＤＳ（相関二重サンプリング）回路と、ＡＧＣ（オートゲインコントロール）回路とを有し、ＣＤＳ回路により画像信号のノイズの低減を行い、ＡＧＣ回路のゲインを調整することにより画像信号のレベル調整を行う。
【００４６】
Ａ／Ｄ変換器２０５は、画像信号の各画素信号を１０ビットのデジタル信号に変換するものである。Ａ／Ｄ変換器２０５は、タイミング制御回路２０２からのＡ／Ｄ変換用クロックに基づいて各画素信号（アナログ信号）を１０ビットのデジタル信号に変換する。
【００４７】
黒レベル補正回路２０６は、Ａ／Ｄ変換された画素信号（以下、画素データという）の黒レベルを基準レベルに補正するものである。また、ＷＢ（ホワイトバランス）回路２０７は、γ補正後にホワイトバランスも合わせて自動調整されるように、Ｒ，Ｇ，Ｂの各色成分の画素データのレベル変換を行うものである。ＷＢ回路２０７は、全体制御部１００すなわちＣＰＵ１００内にあるレベル変換テーブルを用いて、Ｒ，Ｇ，Ｂの各色成分の画素データのレベルを変換する。なお、レベル変換テーブルの各色成分の変換係数（特性の傾き）は、前記全体制御部１００により、撮影画像毎に設定される。
【００４８】
γ補正回路２０８は、画素データのγ特性を補正するものであり、γ特性の異なる例えば６種類のγ補正テーブルを有し、撮影シーンや撮影条件に応じて所定のγ補正テーブルにより、画素データのγ補正を行う。
【００４９】
画像メモリ２０９は、γ補正回路２０８から出力される画素データを記憶するメモリである。画像メモリ２０９は、１フレーム分の記憶容量を有している。すなわち、画像メモリ２０９は、ＣＣＤ１０１がｎ行ｍ列の画素を有している場合、ｎ×ｍ個の画素分の画素データの記憶容量を有し、各画素データが対応する画素位置に記憶されるようになっている。
【００５０】
撮影待機状態においては、ＣＣＤ１０１により１／３０（秒）毎に撮像された画像の各画素データがＡ／Ｄ変換器２０５〜γ補正回路２０８により、所定の信号処理を施された後、画像メモリ２０９に記憶されるとともに、全体制御部１００を介して、画像表示用ＬＣＤ９０５に表示される。これにより、撮影者は画像表示用ＬＣＤ９０５に表示された画像により、被写体の光学像を視認することができる。また、再生モードにおいては、メモリカード１１２から読み出された画像が全体制御部１００を介して、画像処理部３００で所定の信号処理が施された後、ＬＣＤ表示部９０５に再生表示される。
【００５１】
なお、絞り制御ドライバ２０４は、レンズ３０１の絞り値を設定された値に制御するものであり、前記ＡＦアクチュエータ２１５と同様に制御される。
【００５２】
全体制御部１００は、撮影モードにおいて、前記レリーズ／プリント開始ボタン７が操作されて撮影が指示されると、その指示後に画像メモリ２０９に取り込まれた画像のサムネイル画像と、圧縮率設定スイッチ（日付設定用スイッチ１２ち兼用している）で設定された圧縮率ＫによりＪＰＥＧ方式により圧縮された圧縮画像とを生成し、撮影画像に関するタグ情報（コマ番号、露出値、シャッタースピード、圧縮率Ｋ、撮影日、シーン情報および画像の判定結果等の情報）とともに、両画像をメモリカード１１２に記録する。
【００５３】
デジタルカメラによって記録された画像は、メモリカード１１２の容量が６４ＭＢとしたときに、圧縮率Ｋが１／２０で２３０コマの画像が記憶可能であり、各コマはタグの部分と、ＪＰＥＧ方式で圧縮された高解像度の画像データ（１６００×１２００画素）と、サムネイル表示用の画像データ（１６０×１２０画素）が記録されている。各コマ単位で、例えばＥＸＩＦ形式の画像ファイルとして扱うことが可能である。
【００５４】
次に、プリンタ部１１１の構成を図１８に基づき説明する。
【００５５】
カメラ本体１のハウジング内の内部下方には、互いに平行にしてガイド杆２’とリードスクリュウ３’が設けられている。これらガイド杆２’とリードスクリュウ３’との間に、キャリッジ４’を介してインクジェットヘッドカートリッジよりなる記録ヘッド５’が移動自在に支承されている。記録ヘッド５’はＹＭＣＫの４色のヘッドを有し、フルカラーの印刷が可能なように構成されている。記録ヘッド５’には、前述したように、インク供給チューブ９５０を介して、カートリッジ９０３からインクが供給されるようになっている。リードスクリュウ３’は、正逆回転自在な駆動モータ６’にギヤ７’、８’を介して噛合されていて、駆動モータ６’によりリードスクリュウ３’を正逆回転させることにより、ガイド杆２’に沿って記録ヘッド５’を矢印ａ、ｂ方向へ移動できるようになっている。
【００５６】
リードスクリュウ３’の奥方には紙押え板９’とロール状のプラテン１０’が設けられている。そして、紙押え板９’によりプラテン１０’へ印刷用紙１１’を押え付けて印刷用紙１１’の給紙を行う。キャリッジ４’にはレバー４ａ’が突設されていて、キャリッジ４’のホームポジションに設けられたフォトカプラよりなる検出手段１２’でこのレバー４ａ’を検出することにより、駆動モータ６’の回転方向が制御されるようになっている。
【００５７】
また、１３’は支持部材で、記録ヘッド（図示せず）の前面をキャップするキャップ部材１４’を支持している。１５’はこのキャップ部材１４’内を吸引する吸引手段で、キャップ部材１４’内の開口１６’を介して記録ヘッド５’の吸引回復を行うようになっている。１７’はクリーニングブレード、１８’はこのクリーニングブレード１７’を前後方向に移動可能にする部材で、本体支持板１９’に支持されている。２０’は吸引回復の吸引を開始するためのレバーで、キャリッジ４’と係合するカム２１’の移動に伴って移動し、駆動モータ６’からの駆動力がクラッチ等の公知の切換手段で切り換えられることにより、その移動が制御される。
【００５８】
これらキャップ部材１４’によるキャッピング、クリーニングブレード１７’によるクリーニング、レバー２０による吸引回復は、キャリッジ４’がホームポジション側領域に位置しているときに、リードスクリュウ３’の作用によって所望の動作が行えるように構成されているが、周知のタイミングで所望の動作を制御してもよい。
【００５９】
ここでは、インクジェットプリンタとしては圧電素子を用いた公知の方式を用いるが、これに限られるものではなく、電気熱変換素子を設けたいわゆるバブルジェット方式のインクジェットプリンタでもかまわない。
【００６０】
次に、図７〜図２４を用いて、カメラの動作を説明する。
【００６１】
このカメラ本体１の動作は、ＣＰＵ１００および該ＣＰＵ１００に接続されるＲＯＭ（不図示）内のプログラムにより制御される。
【００６２】
図７〜図１０は、動作のメインフローチャートである。
【００６３】
図７に示すように、電源部１０９に電源電池が装着されると、ＣＰＵ１００に電源が供給され、動作を開始し、まず、バッテリーチェックを行う（＃９９）。
【００６４】
バッテリーチェックは、図２０のフローに従って実行する。
【００６５】
すなわち、まず、バッテリーチェック回路１１０により電源部１０９の電源電池の電圧Ｖ１を測定し、ＣＰＵ１００は、その電圧Ｖ１を３つの基準電圧ＶＳ、ＶＰ、ＶＣとの大小を比較し（＃６２０、＃６３０、＃６４０）、その結果に応じて、表示器１７に、図２１▲１▼〜▲４▼の表示５００を行う（＃６２２、＃６３２、＃６４２、＃６５０）。ここでは、ＶＳ＞  ＶＰ＞  ＶＣ  である。
【００６６】
Ｖ１  ≧  ＶＳ  （＃６２０でＮＯ）のとき、プリンタとカメラは共に使用可能であり、図２１▲１▼に示すように、プリンタ表示５０４およびカメラ表示５０６を点灯し（＃６２２）、リターンする。
【００６７】
ＶＳ  ＞  Ｖ１  ≧  ＶＰ  （＃６２０でＹＥＳ、＃６３０でＮＯ）のとき、プリンタとカメラは共に使用可能ではあるが、電源電池の残量が少ないので、図２１▲２▼に示すように、プリンタ表示５０４およびカメラ表示５０６を点滅し（＃６３２）、リターンする。
【００６８】
ＶＰ  ＞  Ｖ１  ≧  ＶＣ  （＃６２０でＹＥＳ、＃６３０でＹＥＳ、＃６４０でＮＯ）のとき、プリンタは使用できないが、カメラは使用可能であり、図２１▲３▼に示すように、プリンタ表示５０４に×マークを重ねて表示するとともにカメラ表示５０６を点滅し（＃６４２）、プリンタ部１１１の動作を禁止する（＃６４４）。そして、プリントモードであるかを判別し（＃６４６）、プリントモードでなければ（＃６４６でＮＯ）、リターンし、プリントモードであれば（＃６４４でＹＥＳ）、図７のスタートに戻り、再度電源が装着されるのを待つ。
【００６９】
ＶＣ  ＞  Ｖ１  （＃６２０でＹＥＳ、＃６３０でＹＥＳ、＃６４０でＹＥＳ）のとき、プリンタとカメラは共に使用できなので、図２１▲４▼に示すように、プリンタ表示５０４とカメラ表示５０６とにそれぞれ×マークを重ねて表示し（＃６４２）、カメラ全体の動作を禁止して（＃６５２）、図７のスタートに戻り、再度電源が装着されるのを待つ。
【００７０】
なお、バッテリーチェックは、図７の＃９９のほか、適宜、上記と同様のフローで実行される。
【００７１】
図７に戻り、バッテリーチェック（＃９９）の次に、メインスイッチＳＭがオンされているかどうかを判別する（＃１００）。メインスイッチＳＭは、モード切換スイッチ８が「ＯＦＦ」モード位置（すなわち、スイッチＳＯＦＦがオン）のときにはオフ、それ以外、すなわち、「記録」、「再生」、「プリント」のいずれかのモード位置（すなわち、スイッチＳＯＦＦがオフ）のときにはオンになる仮想スイッチである。
【００７２】
メインスイッチＳＭがオフであれば（＃１００でＮＯ）、後述の割り込み（ＩＮＴ）を禁止し（＃１０１）、フラグをリセットするとともに（＃１０２）、表示器１７に表示が行われているときはこの表示を消灯し（＃１０３）、撮影禁止処理を行い（＃１０４）、再び＃１００に戻り、メインスイッチＳＭがオンされるのを待つ。
【００７３】
撮影禁止処理は、図２３のフローチャートに従って実行する。
【００７４】
すなわち、まず、フラッシュ６を図２のポップアップ位置（使用位置）から、図３〜図５の非使用位置まで下げ（＃７００）、レンズ鏡筒３０を沈胴し（＃７０２）、レンズバリア９０９を閉じ（＃７０４）、手ぶれ補正スイッチ９１０がオンであるか否かを判別する。オンであれば（＃７０６でＹＥＳ）、手ぶれ補正部４０２および手ぶれ検出部４００をオフにし（＃７０８、＃７１０）、リターンする。オフであれば（＃７０６でＮＯ）、＃７０８および＃７１０をスキップして、リターンする。
【００７５】
図７に戻り、メインスイッチＳＭがオンであれば（＃１００でＹＥＳ）、前述のバッテリーチェックを行い（＃１００ａ）、撮影準備処理を行う（＃１００ｂ）。
【００７６】
撮影準備処理は、図２４のフローチャートに従って実行される。
【００７７】
すなわち、まず、レンズバリア９０９を開き（＃８００）、レンズ鏡筒３０を初期位置まで繰り出し（＃８０２）、フラッシュ６をポップアップし（＃８０４）、手ぶれ補正スイッチ９１０がオンであるか調べる（＃８０６）。手ぶれ補正スイッチ９１０がオンであれば（＃８０６でＹＥＳ）、手ぶれ補正部４０２および手ぶれ検出部４００をオンにし（＃８０８、＃８１０）、リターンする。手ぶれ補正スイッチ９１０がオフであれば（＃８０６でＮＯ）、＃８０８および＃８１０をスキップして、リターンする。
【００７８】
図７に戻り、撮影準備処理（＃１００ｂ）の完了後、割り込みを可能な状態にし（＃１０４）、ＬＣＤスイッチ９０８のオン／オフを調べる（＃１０４ａ）。
【００７９】
ＬＣＤスイッチ９０８がオフ（＃１０４ａでＮＯ）であれば、画像表示用ＬＣＤ９０５がオンとなっているかを調べる（＃１０４ｂ）。画像表示用ＬＣＤ９０５がオフであれば（＃１０４ｂでＮＯ）そのまま＃１０５に進み、画像表示用ＬＣＤ９０５がオンであれば（＃１０４ｂでＹＥＳ）、ＣＣＤ１０１への電源供給を停止し（＃１０４ｃ）、かつ画像表示用ＬＣＤ９０５をオフにした後（＃１０４ｄ）、＃１０５に進む。
【００８０】
ＬＣＤスイッチ９０８がオン（＃１０４ａでＹＥＳ）であれば、ＣＣＤ１０１へ電源を供給し（＃１０４ｅ）、画像表示用ＬＣＤ９０５をオンにした後（＃１０４ｆ）、＃１０５に進む。
【００８１】
＃１０５では、レリーズ／プリント開始ボタン７が１段押されてオフからオンに変化したかどうか、すなわちスイッチＳ１がオンであるかを判別する。スイッチＳ１がオンでなければ（＃１０５でＮＯ）、＃１００に戻って、上記＃１００〜＃１０５のルーチンを繰り返す。一方、スイッチＳ１がオンであれば（＃１０５でＹＥＳ）、図８に進み、前述のバッテリーチェックを行った後（＃１０５ａ）、ＣＣＤ１０１の電源がオンでなければオンにする（＃１０５ｂ、＃１０５ｃ）。
【００８２】
ＣＣＤ１０１への電源供給開始時には、詳しくは、電源部１０９は、図１に示すＣＰＵ１００からの信号を受けてＣＣＤ１０１に高電圧ＶＨを電源電圧として供給する。この電力供給の開始と同時に、ＣＣＤ１０１の初期化のための指示信号がタイミングジェネレータ２０１に出力され、ＣＣＤ１０１の残留電荷の掃出しが行われる。
【００８３】
次に、測距を行い（＃１０５ｅ）、被写体が至近距離にあるか否かを判断する（＃１０５ｆ）。
【００８４】
至近距離であれば（＃１０５ｆでＹＥＳ）、合焦表示ランプ９０７を点滅し（＃１０５ｈ）、スイッチＳ２のオン入力を禁止し（＃１０５ｉ）、スイッチＳ１がオフになるのを待ち（＃１０５ｊ）、スイッチＳ１がオフになれば（＃１０５ｊでＮＯ）、合焦表示ランプ９０７を消灯し（＃１０５ｋ）、＃１００に戻る。
【００８５】
至近距離でなければ（＃１０５ｆでＮＯ）、撮影レンズ３を合焦位置まで駆動し（＃１０５ｇ）、測光部１０５によって測光を行い、露出時間Ｔｖ、絞り値Ａｖを演算する（＃１０８）。そして、測光結果から被写体が低輝度であるかどうかを判別する（＃１０９）。
【００８６】
低輝度であると判別された場合は（＃１０９でＹＥＳ）、図９に示すように、フラッシュ撮影を行うべく、まずフラッシュ６の発光タイミングを測光値に基づいて演算する（＃１１１）。次に、フラッシュ部１０８内の電荷蓄積用コンデンサに発光に必要な電荷が既に充電されているかどうかを判別し（＃１１２）、充電が完了していなければ（＃１１２でＮＯ）、未充完フラグを“１”にして充電を開始し（＃１１３，＃１１４）、合焦表示ランプ９０７を点滅し（１１４ａ）、＃１１２に戻り、充電完了を待つ。
【００８７】
充電が完了すると（＃１１２でＹＥＳ）、合焦表示ランプ９０７が点滅していれば消灯し（＃１１２ａ，＃１１２ｂ）、＃１１５に進む。＃１１５では、充電の完了を確認して充電を停止し、＃１１６で未充完フラグが“１”かどうかを判別する。
【００８８】
未充完フラグが“１”であれば（＃１１６でＹＥＳ）、＃１１７でこの未充完フラグを“０”にしてスイッチＳ１がオフになるまで待機する（＃１１８）。そして、スイッチＳ１がオフになると（＃１１８でＹＥＳ）、＃１００に戻り、いわゆるレリーズロックを行う。
【００８９】
一方、＃１１６で未充完フラグが“０”であれば（＃１１６でＮＯ）、＃１１９に移行して、露出制御２のサブルーチンを実行した後、図８の＃１２０に進む。
【００９０】
露出制御２のサブルーチンは、図１６および図１７に示したフローに従う。
【００９１】
すなわち、まず、割り込みを禁止し（＃４０１）、合焦表示ランプ９０７を点灯し（＃４０１ａ）、スイッチＳ２がオンであるか否かを判別する（＃４０１ａ）。
【００９２】
スイッチＳ２がオフである場合（＃４０１ｂでＮＯ）、スイッチＳ１がオンであれば（＃４０１ｄでＹＥＳ）、待機し、スイッチＳ１がオフであれば（＃４０１ｄでＮＯ）、図７の＃１００に進む。
【００９３】
スイッチＳ２がオンである場合（＃４０１ｂでＹＥＳ）、ＬＣＤ９０５の表示がオンの場合には、画像表示用ＬＣＤ９０５に表示するための画像をロックし、同じ画像を表示し続ける（＃４０１ｘ）。次に、手ぶれ量を検出し（＃４０１ｃ）、前記測光演算より求めた露出時間Ｔｖ、絞り値Ａｖを露出制御部１０６に出力する（＃４０２）。露出制御部１０６はこれらのデータに基づいてカメラ１の絞りを駆動するとともに、露出時間Ｔｖに応じてシャッターコントロール信号をタイミングジェネレータ２０１に出力してＣＣＤ１０１の露出を行う。ＣＰＵ１００は露出制御部１０６から露出が開始されたことを示す信号が入力されると（＃４０３）、前記＃１１１で求めたフラッシュ発光のタイミングに基づいてＣＰＵ１００内のタイマをスタートさせる（＃４０４）。このフラッシュ６の発光は、ＣＣＤ１０１の露出開始から所定時間経過後のタイミングで行われるようになっている。
【００９４】
次に、図１７に示すように、ＣＰＵ１００は露出制御部１０６から露出完了信号が入力されたかどうかを判別する（＃４０５）。この判別を行うのは、上記露出時間Ｔｖは予測値であって、例えばフラッシュ発光用タイマのカウント動作中に、被写体輝度が急に高くなったりすると、フラッシュ発光タイミングに達する前でも露出制御部１０６が露出完了信号を出力する場合があるからである。
【００９５】
すなわち、フラッシュ発光タイミング前に露出制御部１０６が露出完了信号を出力したときには（＃４０５でＹＥＳ）、＃４０８ａに進み、フラッシュ６を発光させることなく露出動作を終了する。
【００９６】
露出が完了する前にフラッシュ発光タイミングに達すると（＃４０５でＮＯ、＃４０６でＹＥＳ）、フラッシュ６を発光させるとともに露出制御部１０６にシャッター閉信号を出力して（＃４０７，＃４０８）、＃４０８ａに進み、露出動作を終了する。
【００９７】
＃４０８ａでは、合焦表示ランプ９０７を消灯する。次に、画面表示用ＬＣＤ９０５の画像表示のロックを解除し、ＣＣＤ１０１からの撮影画像をモニタ表示する（＃４０８ｂ）。そして、露出中の手ぶれ量が所定値を越えているか否かを判別し（＃４０８ｃ）、越えていなければ（＃４０８ｃでＮＯ）、ＣＣＤ１０１から取り込まれた画像信号のみをカメラ本体１の画像メモリ２０９に書き込む制御を行い（＃４０９）、越えていれば（＃４０８ｃでＹＥＳ）、ＣＣＤ１０１からの画像信号に手ぶれ情報を付加して画像メモリ２０９に書き込む（＃４０８ｄ、＃４０９）。ここでは手ぶれ最大時のみ情報付加しているが、手ぶれ量は常に記録させてもよい。以上の処理が終了すると、＃４１０で割り込みを可能にしてリターンする。
【００９８】
一方、図８の＃１０９において、測光の結果低輝度でないと判断した場合は（＃１０９でＮＯ）、フラッシュ発光を伴わない露出制御１のサブルーチンを実行する（＃１１０）。
【００９９】
露出制御１のサブルーチンは、図１５に示したフローに従う。
【０１００】
すなわち、まず、＃３０１で割り込みを禁止して、合焦表示ランプ９０７を点灯した後（＃３０１ａ）、スイッチＳ２のオンを判別する（＃３０１ｂ）。
【０１０１】
スイッチＳ２がオフである場合（＃３０１ｂでＮＯ）、スイッチＳ１がオンであれば（＃３０１ｄでＹＥＳ）待機し、スイッチＳ１がオフであれば（＃３０１ｄでＮＯ）、図７の＃１００に進む。
【０１０２】
スイッチＳ２がオンである場合（＃３０１ｂでＹＥＳ）、ＬＣＤ９０５の表示がオンの場合には、画像表示用ＬＣＤ９０５に表示するための画像をロックし、同じ画像を表示し続ける（＃３０１ｘ）。次に、手ぶれ量を検出し（＃３０１ｃ）、前記測光演算より求めた露出時間Ｔｖ、絞り値Ａｖを露出制御部１０６に出力する（＃３０２）。露出制御部１０６はこれらのデータに基づいてカメラ本体１の絞りを駆動するとともに、露出時間Ｔｖに応じてシャッターコントロール信号をタイミングジェネレータ２０１に出力してＣＣＤ１０１の露出を行う。ＣＰＵ１００は露出制御部１０６から露出が開始されたことを示す信号が入力される（＃３０３）。露出制御部１０６から露出完了信号が出力されたかどうかを判別する（＃３０５）。露出時間Ｔｖに達したときは露出制御部１０６は露出完了信号を出力して（＃３０５でＹＥＳ）、露出動作を終了する。
【０１０３】
この露出動作が終了すると、露出制御２のルーチンにおける＃４０８ａ〜＃４１０の処理と同様、合焦表示ランプ９０７を消灯し（＃３０５ａ）、画像表示用ＬＣＤ９０５の画像表示のロックを解除し（＃３０５ｂ）、ＣＣＤ１０１に取り込まれた画像信号をカメラ１の画像メモリ２０９に書き込むとともに、露出動作中の手ぶれ量を所定値と比較し（＃３０５ｃ）、所定値を越えている場合には（＃３０５ｃでＹＥＳ）、上記画像信号とともに手ぶれ情報を付加して内部メモリに書き込む（＃３０５ｄ、＃３０８）。以上の処理が終了すると、＃３０９で割り込みを可能にしてリターンする。
【０１０４】
図８の＃１１０又は図９の＃１１９における露出制御のサブルーチンが終了すると、図８の＃１２０に移行してコマ番号を１だけ更新し、これを表示器１７に表示する。次に、全コマの撮影が完了して画像メモリ２０９内の全コマ分の撮影が完了すると（＃１２１でＹＥＳ）、＃１２２で表示あるいは音声による警告が行われ、撮影者の注意を喚起する。記録が可能な場合は警告は行われない。
【０１０５】
そして、図１０の＃１２３に移行して、スイッチＳ１がオフにされるまで待機し、スイッチＳ１がオフになると（＃１２３でＹＥＳ）、ＣＰＵ１００は信号を出力してＣＣＤ１０１の電源をオフにするとともに１コマ分の撮影を終了する（＃１２４）。
【０１０６】
以上の処理の後に、次の撮影のためにフラッシュ６の充電が完了しているかどうかが判別される（＃１２５）。充電が完了していない場合は（＃１２５でＮＯ）、未充完フラグを“１”にするとともに充電を完了すべく充電を開始し（＃１２６、＃１２７）、＃１２５に戻る。一方、充電が完了した場合は（＃１２５でＹＥＳ）、未充完フラグを“０”にするとともに充電を停止する。（＃１２８、＃１２９）。そして、再び図７の＃１００に戻り、上記の＃１００〜＃１２９の動作を繰り返す。
【０１０７】
次に、割り込みを可能にした＃１０４以降において、この割り込みが発生した場合に実行される処理について、図１１〜図１４のフローチャートにより説明する。この割り込みは、モード切換スイッチ８が、プリントを指示する「プリント」モード位置、又は再生を指示する「再生」モード位置となる、すなわち、スイッチＳＰＲＴ  又は  ＳＲＥＰ  がオンである場合と、１４，１５が操作された場合とに発生する。
【０１０８】
この割り込みが発生すると、＃２０１で未充完フラグが“１”かどうかを判別し、“１”であれば、電荷蓄積用コンデンサへの充電中に割り込みが発生したとして、＃２０２で一旦充電を停止し、“０”であれば、＃２０２をスキップして、＃２０３でスイッチＳＰＲＴがオンであるかどうかを判別する。スイッチＳＰＲＴがオンであると（＃２０３でＹＥＳ）、プリント動作に移行したと判断して、前述のバッテリーチェックを行い（＃２０３ａ）、前述の撮影禁止処理を行い（＃２０３ｂ）、＃２０４に進む。一方スイッチＳＰＲＴがオフであると（＃２０３でＮＯ）、図１３の＃２２３に進む。
【０１０９】
＃２０４では、表示器１７に、プリントモードであることを示す表示を行い、次いでアクセスボタン１４がオフからオン、すなわち押されたかどうかを判別する（＃２０５）。アクセスボタン１４がオンされると（＃２０５でＹＥＳ）、＃２０６に移行し、アクセスボタン１４がオフかオンのまま、あるいはオンからオフにされると（＃２０５でＮＯ）、＃２１０に移行する。
【０１１０】
＃２０６では、アクセスボタン１４が押されたと判断してコマ番号を１だけアップして表示器１７に表示するとともに、アドレスコントローラ（不図示）、このコマ番号に対応した画像を再生するために該コマ番号に対応したアドレスデータを出力する（＃２０７）。＃２０８で上記処理のための時間待ちをした後、現在のコマ番号に対応した画像情報を画像表示用ＬＣＤ９０５にモニタ表示する（＃２０９）。そして、表示画像に対応する手ぶれ情報に基づいて、手ぶれの有無を判別し（＃２０９ａ）、手ぶれがない場合には（＃２０９ａでＮＯ）、そのまま＃２０５に戻る。一方、手ぶれがあれば（＃２０９ａでＹＥＳ）、図２２（Ａ）のように、手ぶれ表示６０２をオンにし、モニタ画像表示６００中に、モニタ画像を表示したコマには手ぶれがあることを表示して（＃２０９’）、＃２０５に戻る。これによって、アクセスボタン１４がオンされる毎にコマ番号を１ずつ増加して、該コマ番号に対応する画像を画像表示用ＬＣＤ９０５にモニタ表示する処理を繰り返す。
【０１１１】
一方、＃２１０では、アクセスボタン１４がオンであるかどうかを判別し、オンであれば（＃２１０でＹＥＳ）、＃２０５に戻り、オフであれば（＃２１０でＮＯ）、図１２の＃２１１に移行する。
【０１１２】
次に、図１２において、アクセスボタン１４に代えてアクセスボタン１５がオンされると（＃２１１でＹＥＳ）、＃２１２に移行し、一方、アクセスボタン１５がオフかオンのまま、あるいはオンからオフにされると（＃２１１でＮＯ）、＃２１６に移行する。
【０１１３】
＃２１２では、アクセスボタン１５が押されたと判断してコマ番号を１だけダウンして表示器１７に表示するとともに、アドレスコントローラはこのコマ番号に対応した画像を再生するために該コマ番号に対応したアドレスデータを出力する（＃２１３）。＃２１４で処理のための時間待ちをした後、現在のコマ番号に対応した画像情報を画像表示用ＬＣＤ９０５にモニタ表示する（＃２１５）。そして、表示した画像に対応する手ぶれ情報に基づいて、そのコマの画像に手ぶれが含まれるか否を判断し（＃２１５ａ）、手ぶれがない場合にはそのまま＃２１１に戻り、手ぶれがあれば、＃２０９’と同様に、手ぶれ表示６０２をオンにし、モニタ画像表示６０のコマには手ぶれがあることを表示して（＃２１５ｂ）、＃２１１に戻る。これにより、アクセスボタン１５がオンされる毎にコマ番号を１ずつ減少して、該コマ番号に対応する画像を画像表示用ＬＣＤ９０５にモニタ表示する処理を繰り返す。
【０１１４】
一方、＃２１６では、アクセスボタン１５がオンであるかどうかを判別し、オンであれば（＃２１６でＹＥＳ）、＃２１１に戻り、オフであれば（＃２１６でＮＯ）、＃２５０に移行する。
【０１１５】
＃２５０では、消去スイッチＳＥがオンされたかどうかを判別する。この消去スイッチＳＥがオンされると（＃２５０でＹＥＳ）、画像表示用ＬＣＤ９０５にモニタ表示されている画像を消去して（＃２５１）、図１１の＃２０３に移行する。一方、消去スイッチＳＥがオンされていないときは（＃２５０でＮＯ）、＃２１７に移行して、スイッチＳ２がオンされたかどうかを判別する。
【０１１６】
スイッチＳ２がオンされなければ（＃２１７でＮＯ）、プリントを行わないと判断して、図１１の＃２０３に戻り、上記の処理を繰り返す。一方、スイッチＳ２がオンされると（＃２１７でＹＥＳ）、手ぶれ情報の有無を判別し（＃２１７ａ）、手ぶれがなければ（＃２１７ａでＮＯ）、＃２１８に進み、手ぶれがあれば（＃２１７ａでＹＥＳ）、手ぶれ表示６０２を点滅表示し、プリントしようとするコマには手ぶれがあることを警告し（＃２０７’）、所定時間内に再度スイッチＳ２がオンになれば＃２１８に進み、所定時間内に再度オンにならなければ＃２０３に進む（＃２１７ｃ，＃２１７ｄ）。
【０１１７】
＃２１８では、プリント動作に移行すべく、ＣＰＵ１００はプリント命令信号を出力する。画像処理部３００は、上記信号を受けて、プリント動作のための信号処理を開始する。ＣＰＵ１００はプリント中であることを表示器１７に表示するとともに（＃２１９）、プリント動作の制御を行う（＃２２０）。
【０１１８】
プリント動作の制御は、図１９のシーケンスに従って実行される。
【０１１９】
すなわち、ＣＰＵ１００は、まず印刷用紙を１枚プリント位置へ給紙する（＃５１０）。次に、記録ヘッド５’のホームポジション位置で、プリント動作をより確実にするために予備吐出を行い（＃５２０）、記録ヘッド５’の目づまりを解消したり、水分の蒸発したインクの色素等が付着し、性能の低下しているノズルの回復等を行う。
【０１２０】
次にＣＰＵ１００は、プリント動作を開始する（＃５３０）。すなわち、合焦表示ランプ９０７を点灯し（＃５３１）、画像情報をプリンタ出力用に画像処理した上、プリンタ部１１１からプリトンアウトする（＃５３２。プリント中には（＃５３３でＮＯ）、エラーが発生していないかを監視する（＃５３４）。エラーを検知した場合（＃５３４でＹＥＳ）、プリントアウトを中断し、表示ランプ９０７を点滅し（＃５３５）、エラーが解除されたときには（＃５３４でＹＥＳ）、＃５３２に進み、プリント動作を続行する一方、エラーが解除されないときには（＃５３６でＮＯ）、スイッチＳＰＰＴがオフになるのを待つ（＃５３７）。スイッチＳＰＲＴがオフになれば、プリントを中止し（＃５３８）、合焦表示ランプ９０７を消灯して、図７の＃１００に戻る。
【０１２１】
所定のプリント動作が終了すると（＃５３３でＹＥＳ）、プリンタ部１１１でプリントされた印刷用紙１１’は、カメラ本体１の排出口９０１から印刷用紙１１’が落ちない位置まで給送され（＃５４０）、合焦表示ランプ９０７が消灯する（＃９４２）。次に、ＣＰＵ１００はプリント終了の信号を送出し、キャリッジ４’をホームポジションに戻した後に、クリーニング動作を行う（＃５５０）。
【０１２２】
上記予備吐出やクリーニング動作とは、インクジェット記録方式のプリンタにおいて、記録をより一層有効にするために行うものであって、記録ヘッド５’を吸引ポンプ、クリーニングブレード等のクリーニング手段によってクリーニングするものである。
【０１２３】
図１２の＃２２１で、プリントが完了するのを待機し、プリント完了信号が出力されると（＃２２１でＹＥＳ）、表示器１７にプリント完了を示す（＃２２２）。以上の動作により、１コマ分のプリントが終了し、図１１の＃２０３に戻る。
【０１２４】
一方、図１１の＃２０３で、スイッチＳＰＲＴのオンが検知されていなければ（＃２０３でＮＯ）、プリント動作は行わないと判断して、図１３の＃２２３に移行する。＃２２３では、再生スイッチＳＲＥＰがオンされたどうかを判別する。再生スイッチＳＲＥＰがオフであれば（＃２２３でＮＯ）、画像表示用ＬＣＤ９０５による再生表示は行わないと判断して、図１４の＃２３５に移行する。一方、再生用スイッチＳＲＥＰがオンであると（＃２２３でＹＥＳ）、前述のバッテリーチェックを行い（＃２２３ａ）、前述の撮影禁止処理を実行し（＃２２３ｂ）、表示器１７に、画像再生用ＬＣＤ９０５による再生を行うことを示す再生モードの表示を行う（＃２２４）。
【０１２５】
この再生モードにおいて、次にアクセスボタン１４又は１５がオンされたかどうかの判別が行われる（＃２２５、＃２３０）。
【０１２６】
アクセスボタン１４がオフかオンのまま、あるいはオンからオフにされると（＃２２５でＮＯ）、＃２２９に移行する。一方、アクセスボタン１４がオンされると（＃２２５でＹＥＳ）、コマ番号を１だけアップして表示するとともに、アドレスコントローラはこのコマ番号に対応した画像を再生するために該コマ番号に対応したアドレスデータを出力する（＃２２６、＃２２７）。次いで、前述したように現在のコマ番号に対応した画像情報をモニタ表示する（＃２２８）。そして、＃２２５に戻り、アクセスボタン１４がオンされる毎にコマ番号を１ずつ増加して、該コマ番号に対応する画像を、画像表示用ＬＣＤ９０５にモニタ表示する処理を繰り返す。
【０１２７】
一方、＃２２９では、アクセスボタン１５がオンであるかどうかを判別し、オンであれば（＃２２９でＹＥＳ）、＃２２５に戻り、オフであれば（＃２２９でＮＯ）、＃２３０に移行する。
【０１２８】
次に、アクセスボタン１４に代えてアクセスボタン１５がオンされると（＃２３０でＹＥＳ）、＃２３１に移行し、一方、アクセスボタン１５がオフかオンのまま、あるいはオンからオフにされると（＃２３０でＮＯ）、＃２３４に移行する。
【０１２９】
＃２３１では、アクセスボタン１５が押されたと判断してコマ番号を１だけダウンして表示するとともに、アドレスコントローラはこのコマ番号に対応した画像を再生するために該コマ番号に対応したアドレスデータを出力する（＃２３１、＃２３２）。次いで、前述したように現在のコマ番号に対応した画像情報をモニタ表示する（＃２３３）。そして、＃２３０に戻り、アクセスボタン１５がオンされる毎にコマ番号を１ずつ減少して、該コマ番号に対応する画像をモニタ表示する処理を繰り返す。
【０１３０】
一方、＃２３４では、アクセスボタン１５がオンであるかどうかを判別し、オンであれば（＃２３４でＹＥＳ）、＃２３０に戻り、オフであれば（＃２３４でＮＯ）、＃２５２に移行する。
【０１３１】
＃２５２では、消去スイッチＳＥがオンされたかどうかを判別する。この消去スイッチＳＥがオンされると（＃２５２でＹＥＳ）、モニタ表示されている画像を消去して（＃２５３）、＃２０３に戻り、消去スイッチＳＥがオンされないときは（＃２５２でＮＯ）、そのまま＃２０３に戻る。
【０１３２】
図１４の＃２３５以降は撮影時、すなわちプリントおよび再生時でない場合のアクセスボタン１４および１５の判別ルーチンである。アクセスボタン１５がオンになると（＃２３５でＹＥＳ）、撮影レンズ３をテレ側に切り換え（＃２３６）、アクセスボタン１４がオンになると（＃２３７でＹＥＳ）、撮影レンズ３をワイド側に切り換える（＃２３８）。アクセスボタン１４と１５が共にオフのときは、撮影レンズ３の切り換えは行われない。そして、この割り込みルーチンの最後で、未充完フラグが“１”かどうかの判別を行う（＃２３９）。未充完フラグが“１”であれば（＃２３９でＹＥＳ）、充電途中に割り込みが発生したため、未充電の状態で中断されていた充電動作を再開させた（＃２４０）後、リターンし、未充完フラグが“０”であれば、そのままリターンする。
【０１３３】
ところで、ＣＣＤ１０１、インクカートリッジ９０３等は、上記実施例に限らず、適宜位置に隣接して配置することが可能である。
【０１３４】
たとえば、図２５〜図２７に示した第２の変形例のように、ＣＣＤ１０１、インクカートリッジ９０３等を、底部に配置してもよい。
【０１３５】
詳しくは、図２５に示すように、ＣＣＤ１０１は、カメラ本体１’の底部に上向きかつ水平に配置されている。プリンタユニット部２ｘは、カメラ本体１’の底部に着脱可能な構成となっている。インクカートリッジ９０３は、その上部がプリンタユニット部２ｘから上向きに突出し、プリンタユニット部２ｘがカメラ本体１’に装着されたときに、カメラ本体１’の底部に挿入され、ＣＣＤ１０１の実装基板１０１ａの裏面に配置され、ＣＣＤ１０１からの熱が基板１０１ａを介して伝達されるようになっている。なお、プリンタユニット部２ｘをカメラ本体１’から取り外したときに、ＣＣＤ１０１の実装基板１０１ａが露出しないように、カメラ本体１’の底面には、不図示の開閉カバーが設けられている。
【０１３６】
図２６に示すように、撮影光学系は、カメラ本体１’の底部に配置されたＣＣＤ１０１に被写体像を結像させるため、撮影レンズ３以外に、光軸を折り曲げる反射部材３３０と、コンデンサレンズ３４０とを備える。
【０１３７】
プリンタユニット部２ｘは、図２５に示したように、その一側に装填された紙ロール９７０を紙送りローラ９６０で搬送し、その他側に配置されたプリンタヘッド５’でプリントする。プリンタヘッド５’には、インク供給チューブ９５０によりインクカートリッジ９０３からインクが供給される。プリントされた用紙は、不図示のカッターで切断され、図２７に示すようにプリンタユニット部２ｘの側面に設けた排出口９０１’から、排出されるようになっている。
【０１３８】
プリンタユニット部２ｘには、図２７に示すように、開閉可能な開閉蓋９０２’が設けられ、プリンタユニット部２ｘをカメラ本体１’に装着したまま、インクカートリッジ９０３と紙ロール９７０を交換できるようになっている。
【０１３９】
次に、第２実施形態のプリンタ一体型デジタルカメラについて、図２８〜図３４を参照しながら説明する。第２実施形態のプリンタ一体型デジタルカメラは、第１実施形態と略同様に構成されるので、以下では相違点を中心に説明する。
【０１４０】
第２実施形態のプリンタ一体型デジタルカメラは、図２８〜図３１に示したように、カメラ本体１ａの上面部の開口部９０１に隣接して、スライド部９０２ａが設けられている。このスライド部９０２ａは、図２９に示したようにスライド可能であり、それによる開口部を利用して、インクカートリッジ９０３を交換できるようになっている。カートリッジ９０３は、フタ部９０４ａを上方向にはずすと、カートリッジ９０３は指を使ってカメラ本体１ａに対して側方方向へ取り出せるようになっている。
【０１４１】
インクカートリッジ９０３は、図３２および図３３の透視図に示すように、第１実施形態とは異なり、ＣＣＤ１０１から離れた位置に配置されている。
【０１４２】
カメラ本体１ａの中央に配置されたＣＣＤ１０１と、側部に配置されたインクカートリッジ９０３との間には、放熱板９２０が配置されている。この放熱板９２０は、熱伝達率の高い材料で形成される。たとえば、アルミニウム板や、ノートパソコン等で使用されているヒートシンク材で形成される。放熱板９２０は、図３４に示すように、略コ字状に折り曲げられた第１片９２０ａ、第２片９２０ｂ、および第３片９２０ｃと、第３片９２０ｃを延長した端部から第２片９２０ｂと同じ側に直角に折り曲げられた第４片９２０ｄとを有する。図３２および図３３に示すように、放熱板９２０の第１片９２０ａにはＣＣＤ１０１が取り付けられ、第４片９２０ａにはインクカートリッジ９０３が載置され、その底面が接するようになっている。ＣＣＤ１０１からの熱の大部分は、熱伝達性の優れた放熱板９２０に吸収され、インクカートリッジ９０３に効率的に伝達される。
【０１４３】
このプリンタ一体型デジタルカメラでは、ＣＣＤ１０１で発生した熱を、放熱板９２０を介してインクカートリッジ９０３に伝達し、インクカートリッジ９０３内のインクの温度低下を防ぎ、インクの温度をプリント動作の保証範囲内に保つことができる。したがって、低温環境下でも良好なプリント品質を保持することができる。
【０１４４】
以上説明した各実施形態のプリンタ一体型デジタルカメラには、たとえば図３７〜図４２に示した組成のインクを適宜組み合わせて使用する。
【０１４５】
なお、本発明は上記各実施形態に限定されるものではなく、その他種々の態様で実施可能である。たとえば、ＣＣＤの代わりに、画像表示用ＬＣＤのバックライトや電池などの発熱を利用してもよく、また、その熱をインクカートリッジの代わりに、インク供給チューブなどのインク供給路に伝達するようにしてもよい。
【図面の簡単な説明】
【図１】本発明の一実施形態に係るプリンタ一体型デジタルカメラのブロック構成図である。
【図２】図１のカメラを前方から見た斜視図である。
【図３】図２と同様の斜視図である。
【図４】図２のカメラを後方から見た斜視図である。
【図５】図１のカメラの透視図である。
【図６】図１の詳細ブロック構成図である。
【図７】図１のカメラの動作のフローチャートである。
【図８】続きのフローチャートである。
【図９】続きのフローチャートである。
【図１０】続きのフローチャートである。
【図１１】割り込み処理のフローチャートである。
【図１２】続きのフローチャートである。
【図１３】続きのフローチャートである。
【図１４】続きのフローチャートである。
【図１５】露出制御１のフローチャートである。
【図１６】露出制御２のフローチャートである。
【図１７】続きのフローチャートである。
【図１８】プリンタ部の斜視図である。
【図１９】プリンタ部の制御のフローチャートである。
【図２０】バッテリーチェックのフローチャートである。
【図２１】バッテリーチェック結果の表示例である。
【図２２】ぶれがある場合の表示例である。
【図２３】撮影禁止処理のフローチャートである。
【図２４】撮影準備処理のフローチャートである。
【図２５】変形例のカメラの透視図である。
【図２６】図６のカメラの要部構成図である。
【図２７】図６のカメラを後方から見た斜視図である。
【図２８】本発明の第２実施形態に係るプリンタ一体型デジタルカメラを前方から見た斜視図である。
【図２９】図２８のカメラのスライド部を開いた状態を示す斜視図である。
【図３０】図２８のカメラからプリント用紙が排出された状態を示す斜視図である。
【図３１】図２８のカメラを後方から見た斜視図である。
【図３２】図２８のカメラの正面透視図である。
【図３３】図２８のカメラの側面透視図である。
【図３４】図２８の放熱板の斜視図である。
【図３５】インクの温度と粘度の関係を示すグラフである。
【図３６】インクの粘度と周波数応答性との関係を示すグラフである。
【図３７】ノーマルＣインクの組成表である。
【図３８】ノーマルＫインクの組成表である。
【図３９】フォトＹインクの組成表である。
【図４０】フォトＭインクの組成表である。
【図４１】フォトＣインクの組成表である。
【図４２】フォトＫインクの組成表である。
【符号の説明】
１，１’，１ａ  カメラ本体
２，２ｘ  プリンタユニット部
３  撮影レンズ
４  ファインダ窓
５  ＡＦユニット部
６  フラッシュ
７  レリーズ／プリント開始ボタン
８  モード切換スイッチ
９  プロテクトスイッチ
１１  フラッシュ発光モード切換スイッチ
１２  日付設定用スイッチ
１３  撮影モード切換スイッチ
１４，１５  ズームボタン、アクセスボタン
１７  表示器
１８  メモリーカード挿入口
１９  ＰＣ用出力端子
３０  レンズ鏡筒
２’  ガイド杆
３’  リードスクリュウ
４’  キャリッジ
４ａ’  レバー
５’  記録ヘッド（印字部）
６’  駆動モータ
７’、８’  ギヤ
９’  紙押え板
１０’  プラテン
１１’  印刷用紙
１２’  検出手段
１３’  支持部材
１４’  キャップ部材
１５’  吸引手段
１６’  開口
１７’  クリーニングブレード
１８’  移動可能にする部材
１９’  本体支持板
２０’  レバー
２１’  カム
１００  ＣＰＵ
１０１  ＣＣＤ（発熱部）
１０２  信号処理部
１０３  レンズ駆動部
１０４  測距部
１０５  測光部
１０６  露出制御部
１０７  表示部
１０８  フラッシュ部
１０９  電源部
１１０  バッテリーチェック回路
１１１  プリンタ部
１１２  メモリカード
２０１  タイミングジェネレータ
２０２  タイミング制御回路
２０４  絞り制御ドライバ
２０５  Ａ／Ｄ変換器
２０６  黒レベル補正回路
２０７  ホワイトバランス回路
２０８  γ補正回路
２０９  画像メモリ
２１３  信号処理回路
２１５  ＡＦアクチュエータ
３００  画像処理部
３０１  レンズ
３０２  リレーレンズ
４００  手ぶれ検出部
４０２  手ぶれ補正部
５００  表示
５０４  プリンタ表示
５０６  カメラ表示
６００  画像表示
６０２  手ぶれ表示
９０１  排出口
９０２，９０２’  開閉蓋
９０２ａ  スライド部
９０３  インクカートリッジ（インク供給部）
９０４，９０４ａ  フタ部
９０５  画像表示用ＬＣＤ
９０６  ファインダ窓
９０７  合焦表示ランプ
９０８  ＬＣＤスイッチ
９０９  レンズバリア
９１０  手ぶれ補正スイッチ
９２０  放熱板（熱伝達部材）
９２０ａ  第１片
９２０ｂ  第２片
９２０ｃ  第３片
９２０ｄ  第４片
９５０  インク供給チューブ（インク供給部）
【図１】
0003582413.tif 000002
【図２】
0003582413.tif 000003
【図３】
0003582413.tif 000004
【図４】
0003582413.tif 000005
【図５】
0003582413.tif 000006
【図６】
0003582413.tif 000007
【図７】
0003582413.tif 000008
【図８】
0003582413.tif 000009
【図９】
0003582413.tif 000010
【図１０】
0003582413.tif 000011
【図１１】
0003582413.tif 000012
【図１２】
0003582413.tif 000013
【図１３】
0003582413.tif 000014
【図１４】
0003582413.tif 000015
【図１５】
0003582413.tif 000016
【図１６】
0003582413.tif 000017
【図１７】
0003582413.tif 000018
【図１８】
0003582413.tif 000019
【図１９】
0003582413.tif 000020
【図２０】
0003582413.tif 000021
【図２１】
0003582413.tif 000022
【図２２】
0003582413.tif 000023
【図２３】
0003582413.tif 000024
【図２４】
0003582413.tif 000025
【図２５】
0003582413.tif 000026
【図２６】
0003582413.tif 000027
【図２７】
0003582413.tif 000028
【図２８】
0003582413.tif 000029
【図２９】
0003582413.tif 000030
【図３０】
0003582413.tif 000031
【図３１】
0003582413.tif 000032
【図３２】
0003582413.tif 000033
【図３３】
0003582413.tif 000034
【図３４】
0003582413.tif 000035
【図３５】
0003582413.tif 000036
【図３６】
0003582413.tif 000037
【図３７】
0003582413.tif 000038
【図３８】
0003582413.tif 000039
【図３９】
0003582413.tif 000040
【図４０】
0003582413.tif 000041
【図４１】
0003582413.tif 000042
【図４２】
0003582413.tif 000043